(57)【要約】【課題】放射線画像撮影装置において使用するカセッテの数に応じて、撮影メニューを選択する操作を行う操作者の利便性を向上できるようにする。【解決手段】検出部４０が、ケーブル５０Ａ〜５０Ｃのいずれにカセッテ２０Ａ〜２０Ｃが接続されたかを検出する。記憶部３８には、接続されたカセッテの数と撮影メニューとの対応関係が記憶されており、表示制御部４２は対応関係を参照して、表示する撮影メニューを決定し、決定された表示メニューをモニタ３６Ａに表示する。【選択図】図１
2011177417.tif 000002
【特許請求の範囲】
【請求項１】
被写体の放射線画像を撮影する放射線検出器を収容したカセッテを用いて、前記放射線画像を撮影する放射線画像撮影装置において、
使用する前記カセッテの数を検出する検出手段と、
撮影時に使用する撮影メニューおよび前記放射線画像を含む各種表示を行う表示手段と、
前記検出手段の検出結果に基づいて、前記使用するカセッテの数に応じた撮影メニューを表示する表示制御手段とを備えたことを特徴とする放射線画像撮影装置。
【請求項２】
前記検出手段は、使用する前記カセッテの数が１つの場合における該カセッテを用いた撮影の体位をさらに検出する手段であり、
前記表示制御手段は、撮影の体位に応じた撮影メニューを表示する手段であることを特徴とする請求項１記載の放射線画像撮影装置。
【請求項３】
前記表示制御手段は、前記撮影メニューの表示中に前記検出手段による検出があった場合、所定時間経過後に前記撮影メニューを切り替えて表示する手段であることを特徴とする請求項１または２記載の放射線画像撮影装置。
【請求項４】
前記表示制御手段は、前記撮影メニューの表示中に前記検出手段による検出があった場合、前記撮影メニューを切り替える旨の通知を前記表示手段に表示し、該表示を行ってから所定時間経過後に該撮影メニューを切り替えて表示する手段であることを特徴とする請求項１または２記載の放射線画像撮影装置。
【請求項５】
前記表示制御手段は、前記通知の表示中にさらに前記検出手段が検出を行った場合、該検出結果に応じた通知を表示する手段であることを特徴とする請求項４記載の放射線画像撮影装置。
【請求項６】
前記検出手段が、前記撮影メニューの表示中に使用する前記カセッテの数が変更されたことを検出した場合、前記表示制御手段は、前記撮影メニューの切り替え表示が必要であるか否かを判定し、該判定が否定された場合には、前記撮影メニューの切り替えを禁止する手段であることを特徴とする請求項１から５のいずれか１項記載の放射線画像撮影装置。
【請求項７】
前記撮影メニューを含む画面以外の他の画面が前記表示手段に表示されている状態において、前記検出手段が検出を行った場合、前記表示制御手段は、前記撮影メニューの切り替え表示を禁止し、前記撮影メニューを含む画面が表示された時点で前記撮影メニューを切り替えて前記表示手段に表示する手段であることを特徴とする請求項１から６のいずれか１項記載の放射線画像撮影装置。
【請求項８】
撮影確認画面が前記表示手段に表示されている状態において、前記検出手段が検出を行った場合、前記表示制御手段は、前記撮影メニューの切り替え表示を禁止する手段であることを特徴とする請求項１から６のいずれか１項記載の放射線画像撮影装置。
【請求項９】
被写体の放射線画像を撮影する放射線検出器を収容したカセッテを用いて、前記放射線画像を撮影する放射線画像撮影方法において、
使用する前記カセッテの数を検出し、
前記検出結果に基づいて、前記使用するカセッテの数に応じた撮影メニューを表示手段に表示することを特徴とする放射線画像撮影方法。
【請求項１０】
被写体の放射線画像を撮影する放射線検出器を収容したカセッテを用いて、前記放射線画像を撮影する放射線画像撮影方法をコンピュータに実行させるためのプログラムにおいて、
使用する前記カセッテの数を検出する手順と、
前記検出結果に基づいて、前記使用するカセッテの数に応じた撮影メニューを表示手段に表示する手順とを有することを特徴とするプログラム。
【発明の詳細な説明】
【技術分野】
【０００１】
本発明は、放射線検出器を収容したカセッテを用いて、被写体の放射線画像を撮影する放射線画像撮影装置および方法並びに放射線画像撮影方法をコンピュータに実行させるためのプログラムに関するものである。
【背景技術】
【０００２】
従来、医療分野等において、被写体を透過した放射線の照射により被写体に関する放射線画像を記録する放射線検出器（いわゆる「Flat Panel Detector」 以下、ＦＰＤとする）が各種提案、実用化されている。このようなＦＰＤとしては、例えば、放射線の照射により電荷を発生するアモルファスセレン等の半導体を利用したＦＰＤがあり、そのようなＦＰＤとして、いわゆる光読取方式のものやＴＦＴ読取方式のものが提案されている。また、ＦＰＤとＦＰＤから出力された放射線画像データを記憶する記憶手段としての画像メモリとをケースに収容したカセッテも種々提案されている。また、このようなカセッテにおいて、ＦＰＤが検出した放射線画像データを無線通信によって処理装置に送信し、処理装置において画像処理等の信号処理を行うものも提案されている。
【０００３】
また、１台のカセッテを立位および臥位を含む種々の架台に対して兼用する撮影装置が提案されている。このような撮影装置においては、カセッテの設置位置に応じて、撮影時に使用する撮影メニューの種類が種々異なるものとなる。このため、撮影台の天板に対するカセッテの相対的な位置を検出し、検出した位置に応じた撮影メニューを表示する手法が提案されている（特許文献１参照）。特許文献１の手法によれば、カセッテの位置に応じてカセッテが設置されている撮影台を特定することができるため、その撮影台を用いての撮影に適切な撮影メニューを表示することができ、その結果、操作者の利便性を向上できる。
【先行技術文献】
【特許文献】
【０００４】
【特許文献１】特開２００５−２０４８５７号公報
【発明の概要】
【発明が解決しようとする課題】
【０００５】
ところで、カセッテを使用した放射線画像撮影装置においては、２台のカセッテを使用し、立位および臥位での撮影をカセッテの移動無しで行うことができるようにする場合がある。また、立位および臥位に加えて、被写体を任意の体勢にて撮影することができるフリー状態でカセッテを使用することも考えられる。このように複数のカセッテを使用可能とした放射線画像撮影装置においては、常時１台のカセッテが接続されるものではなく、装置の一日の運用の中において接続されるカセッテの数が変更されることとなる。ここで、上記特許文献１に記載された手法は、１台のカセッテの位置に応じて撮影メニューを切り替えて表示するものであるため、使用するカセッテの数を変更する場合には、操作者の利便性を向上することができない。
【０００６】
本発明は上記事情に鑑みなされたものであり、放射線画像撮影装置において使用するカセッテの数に応じて、撮影メニューを選択する操作を行う操作者の利便性を向上することを目的とする。
【課題を解決するための手段】
【０００７】
本発明による放射線画像撮影装置は、被写体の放射線画像を撮影する放射線検出器を収容したカセッテを用いて、前記放射線画像を撮影する放射線画像撮影装置において、
使用する前記カセッテの数を検出する検出手段と、
撮影時に使用する撮影メニューおよび前記放射線画像を含む各種表示を行う表示手段と、
前記検出手段の検出結果に基づいて、前記使用するカセッテの数に応じた撮影メニューを表示する表示制御手段とを備えたことを特徴とするものである。
【０００８】
「撮影メニュー」としては、撮影部位および撮影部位に応じた手技を含むが、これに限定されるものではなく、撮影時に使用する放射線源の管電圧を設定するメニュー等を撮影メニューに含めることができる。
【０００９】
なお、本発明による放射線画像撮影装置においては、前記検出手段を、使用する前記カセッテの数が１つの場合における該カセッテを用いた撮影の体位をさらに検出する手段とし、
前記表示制御手段を、撮影の体位に応じた撮影メニューを表示する手段としてもよい。
【００１０】
「撮影の体位」としては、立位、臥位および被写体を任意の体勢にて撮影するフリーが挙げられる。
【００１１】
また、本発明による放射線画像撮影装置においては、前記表示制御手段を、前記撮影メニューの表示中に前記検出手段による検出があった場合、所定時間経過後に前記撮影メニューを切り替えて表示する手段としてもよい。
【００１２】
また、本発明による放射線画像撮影装置においては、前記表示制御手段を、前記撮影メニューの表示中に前記検出手段による検出があった場合、前記撮影メニューを切り替える旨の通知を前記表示手段に表示し、該表示を行ってから所定時間経過後に該撮影メニューを切り替えて表示する手段としてもよい。
【００１３】
この場合において、前記表示制御手段を、前記通知の表示中にさらに前記検出手段が検出を行った場合、該検出結果に応じた通知を表示する手段としてもよい。
【００１４】
「検出結果に応じた通知」とは、さらに検出が行われて撮影メニューがさらに切り替わることの通知を含む。
【００１５】
また、本発明による放射線画像撮影装置においては、前記検出手段が前記撮影メニューの表示中に使用する前記カセッテの数が変更されたことを検出した場合、前記表示制御手段を、前記撮影メニューの切り替え表示が必要であるか否かを判定し、該判定が否定された場合には、前記撮影メニューの切り替えを禁止する手段としてもよい。
【００１６】
また、本発明による放射線画像撮影装置においては、前記撮影メニューを含む画面以外の他の画面が前記表示手段に表示されている状態において、前記検出手段が検出を行った場合、前記表示制御手段を、前記撮影メニューの切り替え表示を禁止し、前記撮影メニューを含む画面が表示された時点で前記撮影メニューを切り替えて前記表示手段に表示する手段としてもよい。
【００１７】
「他の画面」としては、例えば患者を登録する登録画面および撮影により取得した画像を表示する画面等、撮影メニューを含まない任意の画面を用いることができる。
【００１８】
また、本発明による放射線画像撮影装置においては、撮影確認画面が前記表示手段に表示されている状態において、前記検出手段が検出を行った場合、前記表示制御手段を、前記撮影メニューの切り替え表示を禁止する手段としてもよい。
【００１９】
この場合、撮影確認画面以外の画面が表示手段に表示されている状態において、検出手段が検出を行った場合には、撮影メニューの切り替え表示を行うようにすればよい。
【００２０】
「撮影確認画面」とは、撮影の結果を確認するための画面であり、具体的には、ＱＡ画面および放射線画像が表示されている画面を用いることができる。なお、ＱＡ画面とは、撮影により取得した放射線画像の品質確保のため、画像処理パラメータ等を調整する画面である。
【００２１】
なお、撮影確認画面以外の画面としては、例えば撮影メニューを含む画面の他、患者情報および撮影実施予定等を入力するための、撮影メニューを含まない受付画面等が挙げられる。
【００２２】
本発明による放射線画像撮影方法は、被写体の放射線画像を撮影する放射線検出器を収容したカセッテを用いて、前記放射線画像を撮影する放射線画像撮影方法において、
使用する前記カセッテの数を検出し、
前記検出結果に基づいて、前記使用するカセッテの数に応じた撮影メニューを表示手段に表示することを特徴とするものである。
【００２３】
なお、本発明による放射線画像撮影方法を、コンピュータに実行させるためのプログラムとして提供してもよい。
【発明の効果】
【００２４】
本発明によれば、使用するカセッテの数が検出されると、その検出結果に基づいて、使用するカセッテの数に応じた撮影メニューが表示されるため、撮影メニューを選択する操作を行う操作者の利便性を向上させることができる。
【００２５】
また、使用するカセッテの数が１つの場合におけるカセッテを用いた撮影の体位をさらに検出し、撮影の体位に応じた撮影メニューを表示することにより、撮影の体位に応じた撮影メニューが表示されることとなるため、操作者の利便性をさらに向上させることができる。
【００２６】
また、撮影メニューの表示中に検出手段による検出があった場合、所定時間経過後に撮影メニューを切り替えて表示することにより、単にカセッテを交換したい場合等のように、操作者が意図しない場合には、所定時間のうちにカセッテを交換したり、撮影メニューの切り替え禁止の指示を装置に行ったりすることができるため、操作者の意図に反して撮影メニューが切り替えられてしまうことを防止できる。
【００２７】
また、撮影メニューの表示中に検出手段による検出があった場合、撮影メニューを切り替える旨の通知の表示を行い、この表示後所定時間経過した後に撮影メニューを切り替え表示することにより、操作者は撮影メニューが切り替えられることを事前に知ることができる。この場合、通知の表示中にさらに検出手段が検出を行った場合、検出結果に応じた通知を表示することにより、操作者はさらに撮影メニューが切り替えられることを事前に知ることができる。また、単にカセッテを交換したい場合等のように、撮影者が意図しない場合には、通知の表示中にカセッテを交換したり、撮影メニューの切り替え禁止の指示を装置に行ったりすることができるため、操作者が意図しない場合に撮影メニューが切り替えられてしまうことを防止できる。
【００２８】
ここで、使用するカセッテの数が異なるものであっても、撮影メニューが同一の場合がある。このような場合は、撮影メニューを切り替える必要がない。したがって、撮影メニューの切り替えが必要であるか否かを判定し、この判定が否定された場合には、撮影メニューの切り替えを禁止することにより、同一内容の撮影メニューが切り替わることによる画面のちらつきを防止できる。
【００２９】
また、撮影により取得した放射線画像を表示する画面、あるいは患者情報の登録画面等が表示されている場合には、撮影メニューが突然表示されて画面が切り替えられることは好ましくない。その一方で、撮影メニューを含む画面の表示中は、撮影メニューが切り替わっても問題はない。このため、撮影メニューを含む画面以外の他の画面が表示されている状態において検出手段が検出を行った場合、撮影メニューの切り替えを禁止し、撮影メニューを含む画面が表示された時点で撮影メニューを切り替えて表示することにより、好ましくない画面において突然撮影メニューが切り替え表示されることを防止できる。
【００３０】
また、ＱＡ画面は、撮影により取得した放射線画像の画質調整を技師が行うための画面であり、ＱＡ画面の表示中は技師が画質を調整中であるため、撮影メニューが突然表示されて画面が切り替えられることは好ましくない。また、放射線画像が表示されている画面も、技師が放射線画像を確認中であるため、撮影メニューが突然表示されて画面が切り替えられることは好ましくない。このため、撮影確認画面が表示されている状態において検出手段が検出を行った場合、撮影メニューの切り替え表示を禁止することにより、好ましくない画面において突然撮影メニューが切り替え表示されることを防止できる。
【図面の簡単な説明】
【００３１】
【図１】本発明の実施形態による放射線画像撮影装置を適用した放射線画像撮影システムの概略図
【図２】カセッテの接続数と撮影メニューとの対応関係を示す図
【図３】本実施形態において行われる撮影メニューの表示の処理を示すフローチャート
【図４】撮影により取得した画像の表示画面を示す図
【図５】撮影メニューを指示するための指示画面を示す図
【図６】撮影画面を示す図
【図７】撮影メニューを切り替えて表示する旨の通知をモニタに表示した状態を示す図
【図８】撮影メニューをさらに切り替えて表示する旨の通知をモニタに表示した状態を示す図
【発明を実施するための形態】
【００３２】
以下、図面を参照して本発明の実施形態について説明する。図１は本発明の実施形態による放射線画像撮影装置を適用した放射線画像撮影システムの概略図である。図１に示すように、本実施形態による放射線画像撮影システム１は、撮影部１０およびコンソール３０を備える。
【００３３】
撮影部１０は、照射制御部１２、放射線源１４、臥位にある被写体Ｈの放射線画像を取得するための撮影台１６Ａ、放射線検出部１８Ａ、立位にある被写体Ｈの放射線画像を取得する架台１６Ｂ、および放射線検出部１８Ｂを備える。また、被写体Ｈを任意の体勢にて撮影することができるように、フリーのカセッテ（後述する）２０Ｃを有する。
【００３４】
照射制御部１２は、放射線源１４を駆動して、あらかじめ設定された強度の放射線が設定された時間だけ被写体Ｈに照射されるように照射量を制御する。放射線源１４は、撮影台１７Ａおよび架台１６Ｂを含む任意の方向を向くことが可能なように構成されており、これにより、放射線源１４から照射された放射線は、撮影台１６Ａ上または架台１６Ｂの前の被写体Ｈを透過して放射線検出部１８Ａ，１８Ｂに入射される。また、フリーのカセッテの前の被写体Ｈに向けても放射線を照射することができる。
【００３５】
放射線検出部１８Ａ，１８Ｂには、ＦＰＤ２２Ａ，２２Ｂを内蔵するカセッテ２０Ａ，２０Ｂが設置されており、被写体Ｈを透過した放射線をＦＰＤ２２Ａ，２２Ｂにより検出して電気信号（放射線画像データ）に変換する。また、フリーのカセッテ２０ＣもＦＰＤ２２Ｃを内蔵し、被写体Ｈを透過した放射線をＦＰＤ２２Ｃにより検出して電気信号に変換する。
【００３６】
カセッテ２０Ａ〜２０Ｃはケーブル５０Ａ〜５０Ｃを介してコンソール３０と接続されており、これによりカセッテ２０Ａ〜２０Ｃからは、被写体Ｈを撮影することにより取得したアナログの放射線画像データが、ケーブル５０Ａ〜５０Ｃを介してコンソール３０へ出力される。なお、カセッテ２０Ａ〜２０Ｃにはケーブル５０Ａ〜５０Ｃに接続するためのコネクタ（不図示）が設けられている。なお、本実施形態においては、３つのカセッテ２０Ａ〜２０Ｃを使用するものとして説明しているが、１または２のカセッテを異なるケーブル５０Ａ〜５０Ｃに接続して使用することも可能である。したがって、本実施形態による放射線画像撮影システム１においては、１または２のカセッテを使用しての撮影も可能である。
【００３７】
ＦＰＤ２２Ａ〜２２Ｃは、放射線を電荷に直接変換する直接方式のＦＰＤ、または放射線を一旦光に変換し、変換された光をさらに電気信号に変換する間接方式のＦＰＤのいずれも利用可能である。直接方式のＦＰＤは、アモルファスセレン等の光導電膜、キャパシタおよびスイッチ素子としてのＴＦＴ（Thin Film Transistor）等によって構成される。例えば、Ｘ線等の放射線が入射されると、光導電膜から電子−正孔対（ｅ−ｈペア）が発せられる。その電子−正孔対はキャパシタに蓄積され、キャパシタに蓄積された電荷が、ＴＦＴを介して電気信号として読み出される。
【００３８】
一方、間接方式のＦＰＤは、蛍光体で形成されたシンチレータ層、フォトダイオード、キャパシタおよびＴＦＴ等によって構成される。例えば、「ＣｓＩ：Ｔｌ」等の放射線が入射されると、シンチレータ層が発光（蛍光）する。シンチレータ層による発光はフォトダイオードで光電変換されてキャパシタに蓄積され、キャパシタに蓄積された電荷が、ＴＦＴを介して電気信号として読み出される。
【００３９】
コンソール３０は、撮影データ処理部３２、画像処理部３４、出力部３６、記憶部３８、検出部４０、表示制御部４２、入力部４４、タイマー４６および制御部４８を備える。
【００４０】
撮影データ処理部３２は、撮影部１０から入力された放射線画像データに対して、Ａ／Ｄ変換等のデータ処理を行う。撮影データ処理部３２からは、データ処理後のデジタルの放射線画像データが出力される。
【００４１】
画像処理部３４は、撮影データ処理部３２が出力した放射線画像データに対して、記憶部３８に記憶されている画像処理パラメータを用いて所定の画像処理を施す。画像処理部３４が実施する画像処理は、例えば、画素欠陥補正やこれを行うための欠陥マップの作成、暗画像を用いるオフセット補正や所定の均一露光画像を用いるゲイン補正およびシェーディング補正を含む画像の較正（キャリブレーションデータによる放射線画像データの補正）、さらには階調補正および濃度補正、モニタ表示用およびプリント出力用のデータに画像データを変換するデータ変換等、各種の画像処理が実施可能である。
【００４２】
なお、画像処理部３４は、コンピュータ上で動作するプログラム（ソフトウェア）、専用のハードウェア、あるいは両者を組み合わせて構成される。画像処理部３４からは、画像処理済みの放射線画像データが出力される。
【００４３】
出力部３６は、画像処理部３４から入力された画像処理済みの放射線画像データを出力する。出力部３６は、例えば、放射線画像を画面上に表示するモニタ、放射線画像をプリント出力するプリンタ、あるいは放射線画像データを記憶する記憶装置等である。なお、本実施形態においては、出力部３６は放射線画像および、放射線画像撮影システム１の操作のための各種表示を行うためのモニタ３６Ａを備えるものとする。
【００４４】
記憶部３８は、画像処理部３４において、画像を較正するためのキャリブレーションデータ、各種の画像処理を行うための画像処理パラメータ、カセッテの接続数と撮影メニューとの対応関係等を記憶するメモリ３８ａおよび放射線画像データ等を記憶する画像メモリ３８ｂを内蔵する。なお、メモリ３８ａおよび画像メモリ３８ｂは、物理的に異なるメモリであってもよく、１つのメモリの異なるメモリ領域であってもよい。また、ハードディスク等の記録媒体であってもよい。また、画像処理部３４に内蔵されるものであってもよく、外部に配置されてコンソール３０と接続して用いられるものであってもよい。
【００４５】
検出部４０は、ケーブル５０Ａ〜５０Ｃにカセッテ２０Ａ〜２０Ｃが接続されたことおよび取り外されたことを検出し、コンソール３０へのカセッテの接続数および接続されたケーブルに応じた撮影の体位を表す検出信号を制御部４８に出力する。ここで、本実施形態においては、ケーブル５０Ａ〜５０Ｃと撮影時の体位とが互いに対応するため、撮影の体位はいずれのケーブル５０Ａ〜５０Ｃにカセッテ２０Ａ〜２０Ｃが接続されたかにより検出することができる。ここで、カセッテ２０Ａ〜２０Ｃがケーブル５０Ａ〜５０Ｃに接続されたことの検出は、カセッテ２０Ａ〜２０Ｃがケーブル５０Ａ〜５０Ｃと接続され、カセッテ２０Ａ〜２０Ｃとコンソール３０との接続が確立されたことを検出することにより行われる。一方、カセッテ２０Ａ〜２０Ｃが取り外されたことの検出は、カセッテ２０Ａ〜２０Ｃとコンソール３０との接続が解除されたことを検出することにより行われる。
【００４６】
表示制御部４２は、検出部４０がケーブル５０Ａ〜５０Ｃへのカセッテ２０Ａ〜２０Ｃへの接続および取り外しを検出すると、制御部４８からの指示により、記憶部３８に記憶されたカセッテの接続数と撮影メニューとの対応関係を参照して、モニタ３６Ａに表示する撮影メニューを決定し、決定した撮影メニューをモニタ３６Ａに表示する。
【００４７】
図２はカセッテの接続数と撮影メニューとの対応関係を示す図である。ケーブル５０Ａには立位の撮影のためにカセッテ２０Ａが接続され、ケーブル５０Ｂには臥位の撮影のためにカセッテ２０Ｂが接続され、ケーブル５０Ｃにはフリーの撮影のためにカセッテ２０Ｃが接続される。なお、上述したように１または２のカセッテを異なるケーブル５０Ａ〜５０Ｃに接続して使用することも可能である。
【００４８】
ここで、ケーブル５０Ａ〜５０Ｃのすべてにカセッテ２０Ａ〜２０Ｃが接続されている場合、立位、臥位およびフリーのすべてを使用する可能性が高く、臥位およびフリーの撮影の場合には、被写体Ｈのすべての部位について撮影が行われることとなる。このため、カセッテの接続数が３の場合には、すべての撮影メニューを表示する旨が対応関係Ｃ０に対応づけられている。なお、本実施形態による放射線画像撮影システム１においては、撮影メニューとしては、撮影部位および撮影部位に応じた手技を含むが、これに限定されるものではなく、撮影時に使用する放射線源の管電圧を設定するメニュー等を撮影メニューに含めることができる。
【００４９】
一方、カセッテの接続数が２の場合、そのうちの１つは立位の撮影のために使用される。ここで、他の１つのカセッテは臥位またはフリー撮影のためのものであることから、カセッテの接続数が２の場合にも、すべての撮影メニューを表示する旨が対応関係Ｃ０に対応づけられている。
【００５０】
また、カセッテの接続数が１の場合において、体位に応じた撮影メニューが対応づけられている。具体的には、接続されたカセッテを使用しての撮影時の体位が臥位およびフリーの場合、すべての撮影メニューを表示する旨が対応関係Ｃ０に対応づけられている。とくにフリーの場合、立位および臥位の撮影時に行われている自動での管電圧の調整を行うことができないため、管電圧を調整できるように、管電圧の撮影メニューがさらに対応づけられている。また、体位が立位の場合、胸部、腹部および胸腹部の撮影メニューを表示する旨が対応関係Ｃ０に対応づけられている。
【００５１】
また、表示制御部４２は、カセッテ２０Ａ〜２０Ｃの接続および取り外しを検出した後、タイマー４６を用いて経過時間を監視することにより、カセッテ２０Ａ〜２０Ｃが接続または取り外されてから所定時間経過したことを検出する。
【００５２】
入力部４４は、コンソール３０に対する各種設定、撮影メニューの選択指示等を入力するためのキーボード等の公知の入力手段からなる。なお、モニタ３６Ａをタッチパネル式の入力部を備えたものとしてもよい。この場合、入力部４４はモニタ３６Ａとともに設けられることとなる。
【００５３】
制御部４８は、入力部４４から入力された撮影指示信号に応じて、放射線画像撮影システム１の各部の動作を制御する。制御部４８は、例えば、指示された撮影メニュー、撮影条件または撮影モードで撮影が行われるように各部を制御する。
【００５４】
次いで、本実施形態において行われる処理について説明する。なお、本実施形態は、接続されるカセッテの数に応じた撮影メニューの表示を行う点に特徴を有するものであるため、被写体Ｈの放射線画像を取得する処理については説明を省略し、ここでは撮影メニューの表示の処理についてのみ説明する。図３は本実施形態において行われる撮影メニューの表示の処理を示すフローチャートである。検出部４０が、ケーブル５０Ａ〜５０Ｃへのカセッテ２０Ａ〜２０Ｃの接続および取り外しが検出されたか否かを監視している（ステップＳＴ１）。ステップＳＴ１が肯定されると、検出部４０からの検出信号が制御部４８に出力されるとともに、制御部４８から表示制御部４２に指示がなされ、これにより表示制御部４２が記憶部３８に記憶された対応関係Ｃ０を参照し（ステップＳＴ２）、カセッテ接続数に応じて、表示する撮影メニューを決定する（ステップＳＴ３）。
【００５５】
なお、図４に示すようにモニタ３６Ａに撮影により取得した画像が表示されている状態、あるいは患者を登録するための登録画面が表示されている状態において、ケーブルへのカセッテの接続および取り外しが行われたことを検出して撮影メニューを表示すると、操作者の意図に反することとなる。
【００５６】
また、すでにケーブル５０Ａ〜５０Ｃのいずれかにカセッテが接続されて撮影メニューが表示されている状態において、単にカセッテを交換する作業を行うために、ケーブルからカセッテを取り外した後に、すぐに新たなカセッテを接続するにも拘わらず、操作者の意図に反して撮影メニューの表示が切り替えられてしまうおそれがある。
【００５７】
さらに、本実施形態においては、カセッテ接続数が３の場合と２の場合とでは、撮影メニューが同一である。また、カセッテ接続数が１の場合と２の場合とにおいて、撮影メニューが同一の場合がある。このような場合は、すでに撮影メニューが表示されている状態においては、撮影メニューを切り替える必要がない。
【００５８】
このため、制御部４８は、モニタ３６Ａに撮影メニューを表示する画面が表示中であるか否かを判定する（ステップＳＴ４）。なお、撮影メニューを表示する画面とは、図５に示すような撮影メニューを指示するための指示画面６０、あるいは図６に示すような撮影された画像とともに撮影メニューを表示する撮影画面６２等が挙げられる。そして、ステップＳＴ４が否定されると、画面の切り替えが必要である旨の情報を保存し、画面を遷移するか否かの監視を開始する（ステップＳＴ５）。ステップＳＴ５が肯定されるとステップＳＴ６の処理に進む。
【００５９】
一方、ステップＳＴ４が肯定されると、直ちにステップＳＴ６の処理に進み、表示制御部４２が、撮影メニューの切り替えが必要であるか否かを判定し（ステップＳＴ６）、ステップＳＴ６が否定されるとステップＳＴ１に戻る。ステップＳＴ６が肯定されると、表示制御部４２は、図７に示すように、撮影メニューを切り替えて表示する旨の通知７０をモニタ３６Ａに表示し（ステップＳＴ７）、接続または取り外しの検出から所定時間を経過したか否かの監視を開始する（ステップＳＴ８）。
【００６０】
ステップＳＴ８が肯定されると、撮影メニューを切り替え表示し（ステップＳＴ９）、処理を終了する。なお、ステップＳＴ７における通知の表示は、通知の表示中にさらに表示する撮影メニューが変更された場合は、その旨を知ることができるように、図８の通知７２に示すように図７に示す表示とは異なるものとすることが好ましい。なお、接続または取り外しの検出後、直ちに撮影メニューを切り替えて表示してもよいことはもちろんである。
【００６１】
なお、図３に示すフローチャートの処理中に、さらにカセッテ２０Ａ〜２０Ｃの接続または取り外しがあった場合には、行われている処理に拘わらずステップＳＴ１が肯定され、ステップＳＴ２以降の処理が行われることとなる。
【００６２】
このように、本実施形態においては、使用するカセッテの数が検出されると、使用するカセッテの数に応じた撮影メニューを表示するようにしたため、撮影メニューを選択する指示を行う操作者の利便性を向上させることができる。
【００６３】
また、使用するカセッテの数が１つの場合は、そのカセッテを使用しての撮影時の体位が立位、臥位またはフリーかに応じて撮影メニューを表示することにより、撮影の体位に応じた撮影メニューを表示できるため、操作者の利便性をさらに向上させることができる。
【００６４】
また、撮影メニューの表示中に検出部４０により、カセッテの接続または取り外しの検出があった場合、撮影メニューを切り替える旨の通知を表示し、表示後所定時間経過した後に撮影メニューを切り替え表示することにより、操作者は撮影メニューが切り替えられることを事前に知ることができる。この場合、通知の表示中にさらに検出部４０が検出を行った場合、通知を変更することにより、操作者はさらに撮影メニューが切り替えられることを事前に知ることができる。このため、単にカセッテを交換したい場合等、撮影者が意図しない場合には、カセッテを交換したり、撮影メニュー切り替え禁止の指示を行ったりすることができ、その結果、操作者の意図に反して撮影メニューが切り替えられてしまうことを防止できる。
【００６５】
ここで、使用するカセッテの数が異なっても、撮影メニューが同一の場合がある。このような場合は、撮影メニューを切り替える必要がない。したがって、撮影メニューの切り替えが必要であるか否かを判定し、この判定が否定された場合には、撮影メニューの切り替えを禁止することにより、同一内容の撮影メニューが切り替わることによる画面のちらつきを防止できる。
【００６６】
また、撮影により取得した放射線画像の表示画面、あるいは患者情報の登録画面等が表示されている場合には、撮影メニューが突然表示されて切り替えられることは好ましくない。その一方で、撮影メニューを含む画面の表示中は、撮影メニューが切り替わっても問題はない。このため、撮影メニューを含む画面以外の他の画面が表示されている状態において、検出部４０によりカセッテの接続または取り外しの検出がなされた場合、撮影メニューの切り替えを禁止し、撮影メニューを含む画面が表示された時点で撮影メニューを切り替えて表示することにより、好ましくない画面において突然撮影メニューが切り替え表示されることを防止できる。
【００６７】
また、撮影により取得した放射線画像の画質調整を技師が行うためのＱＡ画面の表示中は、技師が画質を調整中であるため、撮影メニューが突然表示されて画面が切り替えられることは好ましくない。また、放射線画像の表示画面も、技師が放射線画像を確認中であるため、撮影メニューが突然表示されて画面が切り替えられることは好ましくない。このため、ＱＡ画面あるいは放射線画像の表示画面等の撮影確認画面が表示されている状態において、検出部４０によりカセッテの接続または取り外しの検出がなされた場合、撮影確認画面の切り替え表示を禁止することにより、好ましくない画面において突然撮影メニューが切り替え表示されることを防止できる。
【００６８】
なお、上記実施形態においては、ケーブル５０Ａ〜５０Ｃのいずれかにカセッテが接続されたことを検出しているが、操作者の指示により、コンソール３０に接続されているカセッテが立位、臥位またはフリー撮影用かを指示することを検出するようにしてもよい。この場合、操作者は例えば図６に示す撮影画面６２における立位ボタン６４Ａ、臥位ボタン６４Ｂおよびフリーボタン６４Ｃのいずれかを選択することとなる。なお、検出部４０は操作者が選択したボタンに応じて検出信号を出力するようにすればよい。
【００６９】
また、上記実施形態においては、カセッテ２０Ａ〜２０Ｃとコンソール３０とをケーブル５０Ａ〜５０Ｃにより接続しているが、ＦＰＤが検出した放射線画像データを無線通信によってコンソール３０に送信する無線タイプのカセッテを使用することも可能である。この場合、コンソール３０にはカセッテと通信を行うための無線インターフェースが設けられ、無線インターフェースを介して、無線タイプのカセッテと通信を行って、カセッテＩＤおよび放射線画像データの送受信等を行うこととなる。
【００７０】
なお、無線タイプのカセッテを使用する場合においては、システム１の電源をオンとするとともに、カセッテの電源をオンとすることにより、コンソール３０がカセッテを認識し、カセッテとの通信が確立されることとなる。このため、無線タイプのカセッテを使用する場合には、検出部４０は、カセッテとコンソール３０との無線通信が確立されたことを検出し、あらかじめ操作者による設定によってカセッテのＩＤと撮影の体位とを対応づけておくことにより、システム１に接続されているカセッテを使用しての撮影時の体位が立位、臥位またはフリーかを検出するようにすればよい。
【００７１】
なお、無線式のカセッテはバッテリの充電がなされるが、充電中は撮影は行われない。したがって、カセッテが無線式のカセッテである場合には、カセッテが充電中であるか否かを判定し、充電中であるカセッテについては、撮影を行わないものとして、カセッテの接続数には含めないようにすればよい。
【００７２】
また、有線、無線に拘わらず接続されたカセッテが故障している場合には、そのカセッテについては、撮影メニューの選択には考慮しないようにすることが好ましい。この場合、接続が検出できた正常なカセッテのみに基づいて、表示する撮影メニューが決定されることとなる。
【００７３】
また、上記実施形態においては、ＦＰＤを内蔵したカセッテを用いて撮影を行うようにしているが、ＦＰＤに代えて、被写体を透過した放射線を潜像として蓄積記録し、励起光の照射により照射された放射線量に応じた輝尽発光光を発する蓄積性蛍光体シートを内蔵したカセッテを用いて撮影を行うようにしてもよい。ここで、放射線画像が蓄積記録された蓄積性蛍光体シートは、カセッテから取り出されて、不図示の読取装置により放射線画像が読み取られることとなる。このように蓄積性蛍光体シートを内蔵したカセッテを使用する場合には、カセッテはケーブルとは接続されないため、操作者がいずれの撮影用に蓄積性蛍光体シートを内蔵したカセッテを設置したかを指示することとなる。なお、蓄積性蛍光体シートを内蔵したカセッテを使用する場合には、すべての撮影メニューを表示するようにすることが好ましい。
【００７４】
以上、本発明の実施形態に係るシステム１について説明したが、コンピュータを、上記の撮影データ処理部３２、画像処理部３４、検出部４０、表示制御部４２および制御部４８に対応する手段として機能させ、図３に示すような処理を行わせるプログラムも本発明の実施形態の１つである。また、そのようなプログラムを記録したコンピュータ読取り可能な記録媒体も、本発明の実施形態の１つである。
【符号の説明】
【００７５】
１    放射線画像撮影システム
２０Ａ〜２０Ｃ    カセッテ
２２Ａ〜２２Ｃ    ＦＰＤ
３０    コンソール
３２    撮影データ処理部
３４    画像処理部
３６    出力部
３８    記憶部
４０    検出部
４２    表示制御部
４４    入力部
４６    タイマー
４８    制御部
【図１】
2011177417.tif 000003
【図２】
2011177417.tif 000004
【図３】
2011177417.tif 000005
【図４】
2011177417.tif 000006
【図５】
2011177417.tif 000007
【図６】
2011177417.tif 000008
【図７】
2011177417.tif 000009
【図８】
2011177417.tif 000010